(57)【要約】【課題】使用されない場合には、自動的に投影されている画像を暗くする又は画像を表示させないことで省電力化を図ることのできるプロジェクタ及びプログラム、画像投影方法を提供すること。【解決手段】プロジェクタ１０は、光源と、光源から出射された光を光学系を介してスクリーン上に投影する投影手段と、レーザポインタにより、スクリーン上に照射された輝点を検知する光検知手段４０と、輝点が検知されなくなってから一定時間が経過すると、暗画像動作が行われるように制御する制御部３４とを備える。【選択図】図２
2007264565.tif 000002
【特許請求の範囲】
【請求項１】
光源と、
前記光源から出射された光を光学系を介してスクリーン上に投影する投影手段と、
レーザポインタにより前記スクリーン上に照射された輝点を検知する光検知手段と、
前記輝点が検知されなくなってから一定時間が経過すると、暗画像動作が行われるように制御する制御部とを備えることを特徴とするプロジェクタ。
【請求項２】
前記光検知手段は、ＣＣＤカメラであることを特徴とする請求項１に記載のプロジェクタ。
【請求項３】
前記制御部は、前記暗画像動作が行われている時に前記光検知手段により前記輝点が検知されると、投影動作を行うように制御することを特徴とする請求項１又は請求項２に記載のプロジェクタ。
【請求項４】
前記光源は、ＬＥＤであり、
前記制御部は、ＬＥＤを制御することにより前記暗画像動作を行うことを特徴とする請求項１〜請求項３のいずれか一項に記載のプロジェクタ。
【請求項５】
前記投影手段は、前記スクリーン上に投影する画像を生成する投影画像処理部を備えており、
前記制御部は、投影画像処理部を制御することにより前記暗画像動作を行うことを特徴とする請求項１〜請求項３のいずれか一項に記載のプロジェクタ。
【請求項６】
前記輝点は成分に赤外線又は紫外線を含むことを特徴とする請求項１〜請求項５のいずれか一項に記載のプロジェクタ。
【請求項７】
プロジェクタに、
光源から出射された光を光学系を介してスクリーン上に投影する投影機能と、
レーザポインタにより前記スクリーン上に照射された輝点を検知する光検知機能と、
前記輝点が検知されなくなってから一定時間が経過すると、暗画像動作が行われるように制御する制御機能と、を実現させることを特徴とするプログラム。
【請求項８】
光源から出射された光を光学系を介してスクリーン上に投影する投影手段と、
レーザポインタにより前記スクリーン上に照射された輝点を検知する光検知手段と、を備えるプロジェクタを用いて前記スクリーン上に画像を投影する画像投影方法であって、
前記光検知手段により検知された前記輝点が検知されなくなってから一定時間が経過すると、暗画像動作を行うことを特徴とする画像投影方法。
【発明の詳細な説明】
【技術分野】
【０００１】
本発明は、プロジェクタ及びプログラム、画像投影方法に関し、特にポインタを使用するプロジェクタ及びプログラム、画像投影方法に関する。
【背景技術】
【０００２】
従来から、プレゼンテーションを行う際に、スクリーン上に画像を投影するプロジェクタが利用されてきた。通常、プレゼンテーション時には、周囲の照明を暗くして画像を投影し、その後はスクリーン上の画像の使用に関わらず、プロジェクタは点灯が維持された状態で作動されていた。
これは、従来のプロジェクタでは、光源に高圧水銀ランプを用いており、ランプを消灯している状態から点灯させるには、数分間時間がかかるという問題によるものであり、プレゼンテーション後の質疑応答等、周囲の照明を明るくして行われる場面でもプロジェクタは光源を点灯させた状態で作動させていた。
【特許文献１】特開２００４−２５５０５７号公報
【発明の開示】
【発明が解決しようとする課題】
【０００３】
しかしながら、このような場面では、スクリーン上に画像を投影させる必要性はなく、むしろ、省電力の点では光源を点灯させていない方がよい。また、従来のプロジェクタでは、光源に高圧水銀ランプを用いている為、ランプを減光させる場合には、一定の電圧の範囲でしか行うことができないものであった。
【０００４】
そこで、本発明は、前記した問題点を鑑みてなされたものであり、使用されない場合には、自動的に投影されている画像を暗くする又は画像を表示させないことで省電力化を図ることのできるプロジェクタ及びプログラム、画像投影方法の提供を目的とする。
【課題を解決するための手段】
【０００５】
請求項１に記載の発明は、プロジェクタであって、
光源と、
前記光源から出射された光を光学系を介してスクリーン上に投影する投影手段と、
レーザポインタにより、前記スクリーン上に照射された輝点を検知する光検知手段と、
前記輝点が検知されなくなってから一定時間が経過すると、暗画像動作が行われるように制御する制御部とを備えることを特徴とする。
【０００６】
請求項１に記載の発明によれば、光源を点灯させることでスクリーンに画像を投影し、スクリーン上に照射されたレーザポインタによる輝点を光検知手段により検知する。そして、制御部は、スクリーン上の輝点が検知されなくなってから一定時間経過すると、暗画像動作を行うので、ユーザによりレーザポインタが用いられてスクリーン上の画像が説明されている場合など、スクリーン上に輝点が存在する場合には画像が投影されており、ユーザがレーザポインタを使用しない場合には、スクリーン上の画像は暗画像となるようになっている。
【０００７】
請求項２に記載の発明は、請求項１に記載のプロジェクタにおいて、
前記光検知手段は、ＣＣＤカメラであることを特徴とする。
【０００８】
請求項２に記載の発明によれば、光検知手段は、ＣＣＤカメラであり、離れた位置にあるスクリーン上の輝点を検知することができる。
【０００９】
請求項３に記載の発明は、請求項１又は請求項２に記載のプロジェクタにおいて、
前記制御部は、前記暗画像動作が行われている時に前記光検知手段により前記輝点が検知されると、投影動作を行うように制御することを特徴とする。
【００１０】
請求項３に記載の発明によれば、減光動作又は前記消灯動作が行われている時に光検知手段により輝点が検知されると、投影動作を行うので、レーザポインタが使用されない状態から、再びレーザポインタが使用された場合には、自動的にスクリーン上に画像を投影することができる。
【００１１】
請求項４に記載の発明は、請求項１〜請求項３のいずれか一項に記載のプロジェクタにおいて、
前記光源は、ＬＥＤであり、
前記制御部は、ＬＥＤを制御することにより前記暗画像動作を行うことを特徴とする。
【００１２】
請求項４に記載の発明によれば、光源としてＬＥＤを使用しているので、従来の高圧水銀ランプとは異なり、迅速に点灯及び減光、消灯動作を繰り返し行うことができ、暗画像動作は、ＬＥＤの制御により行うことができる。また、減光時には、電圧の範囲を制限なく減光させることができる。
【００１３】
請求項５に記載の発明は、請求項１〜請求項３のいずれか一項に記載のプロジェクタにおいて、
前記投影手段は、前記スクリーン上に投影する画像を生成する投影画像処理部を備えており、
前記制御部は、投影画像処理部を制御することにより前記暗画像動作を行うことを特徴とする。
【００１４】
請求項５に記載の発明によれば、スクリーン上に投影する画像を生成する投影画像処理部を具備し、投影画像処理部の制御により、暗画像動作を行うことができる。
【００１５】
請求項６に記載の発明は、請求項１〜請求項５のいずれか一項に記載のプロジェクタにおいて、
前記輝点は成分に赤外線又は紫外線を含むことを特徴とする。
【００１６】
請求項６に記載の発明によれば、輝点の成分に赤外線又は紫外線が含まれており、レーザポインタは、スクリーンから離れた位置から当該成分を含む光をスクリーン上の特定の箇所に指し示すことができる。
【００１７】
請求項７に記載の発明は、プログラムは、プロジェクタに対し、光源から出射された光を光学系を介してスクリーン上に投影する投影機能と、レーザポインタによりスクリーン上に照射された輝点を検知する光検知機能と、スクリーン上の輝点が検知されなくなってから一定時間が経過すると、暗画像動作が行われるように制御する制御機能と、を実現させるものである。
【００１８】
請求項７に記載の発明によれば、プログラムであって、
プロジェクタに、
光源から出射された光を光学系を介してスクリーン上に投影する投影機能と、
レーザポインタにより前記スクリーン上に照射された輝点を検知する光検知機能と、
前記輝点が検知されなくなってから一定時間が経過すると、暗画像動作が行われるように制御する制御機能と、を実現させることを特徴とする。
【００１９】
請求項８に記載の発明は、
光源から出射された光を光学系を介してスクリーン上に投影する投影手段と、
レーザポインタにより前記スクリーン上に照射された輝点を検知する光検知手段と、を備えるプロジェクタを用いて前記スクリーン上に画像を投影する画像投影方法であって、
前記光検知手段により検知された前記輝点が検知されなくなってから一定時間が経過すると、暗画像動作を行うことを特徴とする。
【００２０】
請求項８に記載の発明によれば、画像投影方法は、光源から出射された光を光学系を介してスクリーン上に投影する投影手段と、レーザポインタにより前記スクリーン上に照射された輝点を検知する光検知手段と、を備えるプロジェクタを用いてスクリーン上に画像を投影し、光検知手段により検知された輝点が検知されなくなってから一定時間が経過すると、暗画像動作を行うようになっている。
【発明の効果】
【００２１】
請求項１に記載の発明によれば、プロジェクタは、ユーザによりレーザポインタが用いられてスクリーン上の画像が説明されている場合などスクリーン上に輝点が存在する場合には、画像が投影されており、ユーザがレーザポインタを使用しない場合、即ち、スクリーン上に輝点が存在しない場合には、暗画像動作を行うようになっている。
したがって、スクリーンの使用状況に応じて自動的に投影動作又は暗画像動作を行うことができ、使用されない場合には、暗画像動作を行うことで省電力な構成にすることができる。
【００２２】
請求項２に記載の発明によれば、スクリーン上の輝点をＣＣＤカメラにより検知することで、スクリーンの使用状況に応じて自動的に暗画像動作を行うことができ、省電力な構成にすることができる。
【００２３】
請求項３に記載の発明によれば、暗画像動作が行われた場合に光検知手段により輝点が検知されると、投影動作を行うので、レーザポインタが使用されない状態から再び使用された場合には、自動的に画像を投影することができる。
したがって、スクリーンの使用状況に応じて自動的に画像を投影することができ、スクリーンの使用状況に応じて暗画像・投影の動作を行うことで、使用勝手のよいプロジェクタを提供することができる。
【００２４】
請求４記載の発明によれば、光源としてＬＥＤを使用しているので、従来の高圧水銀ランプとは異なり、迅速に点灯及び減光、消灯動作を繰り返し行うことができ、暗画像動作は、ＬＥＤの制御により行うことができる。また、電圧の範囲を制限なく減光させることができ、減光時のスクリーン上の画像を所望の明るさで投影することができる。
【００２５】
請求項５に記載の発明によれば、スクリーン上に投影する画像を生成する投影画像処理部を具備し、投影画像処理部の制御により暗画像動作を行うことができるので、高圧水銀ランプなど迅速に点灯及び減光、消灯動作を行うことができない光源を適用した場合には、投影画像処理部の制御により投影画面を暗画像にすることができる。
【００２６】
請求項６に記載の発明によれば、レーザポインタは、スクリーンから離れた位置から当該成分を含む光をスクリーン上の特定の箇所に指し示すことができ、光検知手段は当該成分を検知することで輝点を検知することができる。また、レーザポインタとしての機能を如何なく発揮することができる。
【００２７】
請求項７に記載の発明によれば、このプログラムが適用されたプロジェクタでは、ユーザによりレーザポインタが用いられてスクリーン上の画像が説明されている場合などスクリーン上に輝点が存在する場合には、画像が投影されており、ユーザがレーザポインタを使用しない場合、即ち、スクリーン上に輝点が存在しない場合には、暗画像動作を行うようになっている。
【００２８】
請求項８に記載の発明によれば、この画像投影方法では、ユーザによりレーザポインタが用いられてスクリーン上の画像が説明されている場合などスクリーン上に輝点が存在する場合には、画像が投影されており、ユーザがレーザポインタを使用しない場合、即ち、スクリーン上に輝点が存在しない場合には、暗画像動作を行うようになっている。
【発明を実施するための最良の形態】
【００２９】
以下、本発明の実施の形態について図１〜図５を参照して説明する。
まず、本発明に係るプロジェクタについて説明する。
【００３０】
本実施の形態におけるプロジェクタ１は、パソコンやビデオカメラなどの外部機器から入力された画像を入力・記憶などした後、離れた位置にあるスクリーンに投影するためのものであり、レーザポインタを具備する。レーザポインタは、プロジェクタ１の使用時に、スクリーンから離れた位置からスクリーン上の画像に対して光を照射するためのものであり、レーザポインタから発せられる光の成分には、赤外線が含まれている。
【００３１】
図１は、本実施形態に係るプロジェクタ１０の外部構成を示すもので、主として筐体前面及び上面を示す。同図に示すように、直方体状の本体ケーシング１１の前面の一部、向かって右側に投影レンズ１２と撮影レンズ１３とが埋設されている。また、本体ケーシング１１の前面、左側にはリモコン信号受信部１４が配設されている。
【００３２】
投影レンズ１２は、後述するマイクロミラー素子等の空間的光変調素子で形成された光像をスクリーン等の対象に投影するためのものであり、この投影レンズ１２に合焦位置及びズーム位置（投影画角）を任意に可変できるようになっている。
【００３３】
撮影レンズ１３は、上記投影レンズ１２により投影表示される画像を撮影する為のものであり、この撮影レンズ１３も合焦位置及びズーム位置を可変可能で、特にズーム位置は上記投影レンズ１２のズーム位置に連動して制御され、常に投影レンズ１２より投影される画像の大きさに対応した撮影範囲となるように制御されるものとする。
【００３４】
リモコン信号受信部１４は、プロジェクタ１０の図示しないリモートコントローラからのキー操作信号を受信するものである。
【００３５】
また、本体ケーシング１１の上面には、スイッチ部１５及びスピーカ１６が配設されている。
スイッチ部１５は、装置の電源のオン／オフ、入力切替、自動合焦、自動台形補正などを指示する各種キースイッチより構成されている。
【００３６】
スピーカ１６は入力された音声信号及び動作時のビープ音などを拡声放音する。
また、図示はしないが本体ケーシング１１の背面には、入出力コネクタ部、及びＡＣアダプタ接続部が配設されている。
【００３７】
入出力コネクタ部は、例えばパーソナルコンピュータ等の外部装置との接続の為のＵＳＢ端子、映像入力用のミニＤ−ＳＵＢ端子、Ｓ端子、及びＲＣＡ端子と、音声入力用のステレオミニ端子等から構成されている。
ＡＣアダプタ接続部は、電源となる図示しないＡＣアダプタからのケーブルが接続されるようになっている。
【００３８】
次に図２により上記プロジェクタ１０の制御構成について説明する。
このプロジェクタ１０には、ＰＣ等外部機器が入出力コネクタ部２１を介して接続されており、入出力コネクタ部２１から入力された各種規格の画像信号が、入出力インタフェース（Ｉ／Ｆ）２２、システムバスＳＢを介して画像変換部２３で所定のフォーマットの画像信号に統一された後に、投影画像処理部２４に送られるようになっている。
【００３９】
投影画像処理部２４では、送られてきた画像信号からビデオ信号を生成し、適宜フレームレート例えば１２０［フレーム／秒］と色成分の分割数、及び表示階調数を乗算した、より高速な時分割駆動で空間的光変調素子（ＳＯＭ）である例えばマイクロミラー素子２５を表示駆動するようになっている。
【００４０】
システムバスＳＢには、投影光処理部３２を介して光源ランプ２７としてＬＥＤが接続されている。光源ランプ２７は、リフレクタ２６に覆われており、光源ランプ２７と前述のマイクロミラー素子２５との間には、カラーホイール２８、インテグレータ２９、ミラー３０が配設されており、光源ランプ２７から出射される光を、カラーホイール２８を介して適宜原色に着色し、インテグレータ２９、ミラー３０を介してマイクロミラー素子２５に照射されることで、その反射光で光像が形成され、上記投影レンズ１２を介して図示しないスクリーンに投影表示されるようになっている。
【００４１】
光源ランプ２７の点灯駆動と、カラーホイール２８を回転駆動するモータ３１はいずれも投影光処理部３２からの供給電圧値に基づいて動作されるようになっている。
【００４２】
また、上記カラーホイール２８は、その周端面に近接配置したマーカセンサ３３により所定の回転位置が検出されるものであり、その検出信号は投影画像処理部２４に入力されるようになっている。
【００４３】
図３は、カラーホイール２８の平面構造を示すものであり、Ｒ（赤）、Ｇ（緑）、Ｂ（青）及びＷ（透明）のそれぞれセグメントと称される各カラーフィルタが各中心角９０°に区分して配置されると共に、最外周のリム部２８ａの所定回転位置、具体的にはＷ（透明）のセグメントよりのＲ（赤）のセグメントに対応する端部に円弧状の貫通孔からなるマーカ２８bが形成され、図中Ａで示す矢印方向に回転するようになっている。
【００４４】
上記マーカセンサ３３は、例えば反射型のフォト・インタラプタで構成されており、このカラーホイール２８のリム部２８ａに対向するように近接配置されている。マーカセンサ３３は、上記マーカ２８ｂ部分でのみ、フォト・インタラプタを構成するＬＥＤで出射した光がリム部２８ａで反射されず、同受光素子の出力信号のレベルが低下することから、マーカ２８ｂの位置、すなわち上記Ｒ（赤）のセグメントの開始位置を検出することができるようになっている。
【００４５】
上記各回路の全ての動作制御を司るのが制御部３４である。この制御部３４は、ＣＰＵと、後述する投影動作、撮影動作の処理を含む該ＣＰＵで実行される動作プログラムを記憶した不揮発性メモリ、及びワークメモリ等により構成されるようになっている。
【００４６】
この制御部３４には、また、システムバスＳＢを介してプロセス回路３５及び画像記録部３６が接続されるようになっている。
【００４７】
プロセス回路３５は、上記撮影レンズ１３の撮影光軸後方にあって撮影レンズ１３で結像される光像を光電変換する撮像素子としてのＣＣＤ３８の出力を受け、このＣＣＤ３８からのアナログ値の画像信号をデジタル化し、画素補間処理及びγ補正処理を含むカラープロセス処理を実行した上でデジタル値の輝度信号Ｙ及び色差信号Ｃｂ、Ｃｒを生成し、システムバスＳＢを介して上記画像変換部２３に出力するようになっている。
【００４８】
画像変換部２３は、輝度及び色差信号をＡＤＣＴ、ハフマン符号化等の処理によりデータ圧縮し、得られた画像データを、このプロジェクタ１０の記録媒体として装着される画像記録部３６に書き込むようになっている。画像記録部３６は、例えばフラッシュメモリ等から構成され、撮影により得たデータが記憶されるようになっている。
【００４９】
音声処理部３７は、ＰＣＭ音源等の音源回路を備えており、投影動作時に与えられる音声データをアナログ化し、上記スピーカ１６を駆動して拡声放音し、あるいは必要によりビープ音を発生させるようになっている。
【００５０】
なお、上記スイッチ部１５における各キー操作信号は直接制御部３４に入力されると共に、リモコン信号受信部１４からの信号も直接入力されるようになっている。このリモコン信号受信部１４は、リモコン信号の受信をコード信号化して制御部３４に送出するようになっている。
【００５１】
さらにこの制御部３４には、システムバスＳＢを介して光検知手段４０が接続されている。
光検知手段４０は、ＣＣＤ３８の近傍に配設されており、撮影レンズ１３で結像される光像内に赤外線を成分に含む輝点（以下、単に輝点という）が存在するか否か検知することにより、スクリーン上に存在する輝点を検知することができるようになっている。また、スクリーン上に輝点が存在することが検知すると、その旨信号化して制御部３４に送出するようになっている。また、光検知手段４０は、一定時間、スクリーン上に輝点が存在しないことを検出すると、制御部にその旨を信号化して送出するようになっている。
【００５２】
制御部３４では、一定時間、スクリーン上に輝点が存在しないことを検出した信号を受信すると、暗画像動作を行わせるように光源ランプ２７の出力を制御するようになっている。
【００５３】
ここで暗画像動作について説明する。
図４は、スクリーン上に投影される画像であり、図４（ａ）は、通常の投影（点灯）動作時における投影画像の一例を示したものである。これに対し、暗画像動作では、図４（ｂ）に示すようにスクリーン上に低輝度の画像が表示されたり、あるいは、図４（ｂ）に示す低輝度の画像よりさらに輝度の低い画像として図４（ｃ）に示すような黒色の画像がスクリーン上に表示されるようになっている。なお、暗画像動作では、通常の投影動作により光源ランプ２７の出力が減じるように制御されており、図４（ｃ）に示す黒色の画像を表示する際には、光源ランプ２７を消灯させるように光源ランプ２７の出力を制御することで行うことが可能である。また、図４（ｃ）に示す黒色の画像の表示する際には、徐々に輝度を低下させ、最終的に黒色の画像を表示させる構成とすることが好ましい。
【００５４】
なお、制御部３４が一定時間、輝点が存在しないことを検出した信号を受信した際に、図４（ｂ）及び図４（ｃ）に示す画像のどちらに切替える動作を行うかは、予め本体ケーシング１１に設けられたスイッチ部１５からの入力や、プロジェクタ１０のリモートコントローラからのキー操作信号により設定を行ってもよい。
【００５５】
また、制御部３４では、暗画像動作時に、光検知手段によりスクリーン上に存在する輝点を検知した旨の信号を受信すると、再び、投影動作を行わせるように光源ランプ２７を点灯制御するようになっている。
【００５６】
次に、このプロジェクタ１０の作用について図５を参照して説明を行う。
プロジェクタ１０に外部装置から入出力コネクタ部２１を介して入力される画像信号に基づいて上記マイクロミラー素子２５を表示駆動し、光源ランプ２７からの光をカラーホイール２８を介してマイクロミラー素子に照射させることにより光像を形成し、投影レンズ１２より出射させる投影処理を実行する（ステップＳ１）。すると、投影レンズに対向するスクリーン上に図５（ａ）に示すような画像が投影される（ステップＳ２）。
【００５７】
そして、この投影処理を実行しながら、撮影レンズ１３で結像される光像をプロセス回路３５及び画像変換部を介して画像データを取得し、得られた画像データを画像記録部３６に記憶させることで撮影動作を行う（ステップＳ３）。
【００５８】
このとき、制御部３４は、光検知手段４０に、撮影レンズ１３で結像される光像内にＩｒの輝点が存在するか否か検知させており（ステップＳ４）、ユーザがレーザポインタを使用しない場合など、一定時間、スクリーン上に輝点が存在しないことを検出した信号を受信すると（ステップＳ４；ｙｅｓ）、暗画像動作を行わせるように光源ランプ２７を制御する（ステップＳ５）。そして、スイッチ部１５又はリモコン信号受信部１４からの入力に基づき、スクリーン上に図５（ｂ）又は図５（ｃ）に示す画像が投影される（ステップＳ６）。
【００５９】
次いで、暗画像動作中に、スクリーン上に輝点を検知した旨の信号を受信すると（ステップＳ７；ｙｅｓ）、投影動作を行わせるように光源ランプ２７を制御し、再び、スクリーン上に図５（ａ）に示す画像が表示され、ステップＳ１以降の動作が繰り返される。
【００６０】
一方、ステップＳ４で、ユーザによりスクリーン上の画像が説明されている場合など一定時間、輝点が存在しないことを検出した信号を受信していない場合には（ステップＳ４；ｎｏ）、そのまま点灯動作（投影動作）を続け、ステップＳ２以降の動作が繰り返される。
【００６１】
以上により、本実施形態によるプロジェクタ１０によれば、スクリーンの使用状況に応じて自動的に暗画像動作を行うことができ、使用されない場合には、自動的に投影されている画像の照明を暗くする又は画像を表示させないことで省電力な構成にすることができる。
【００６２】
また、レーザポインタが使用されない状態から再び使用された場合には、自動的に光源を点灯させて画像を投影することができ、スクリーンの使用状況に応じて減光・消灯・点灯の動作を行うことができるので、使用勝手を向上させることができる。
【００６３】
また、ＬＥＤを光源に使用しているので、従来の高圧水銀ランプとは異なり、迅速に点灯及び減光、消灯動作を繰り返し行うことができ、減光動作又は消灯動作は、ＬＥＤの制御により行うことができる。また、電圧の範囲を制限なく減光させることができ、減光時のスクリーン上の画像を所望の明るさで投影することができる。
【００６４】
なお、本実施形態においては、スクリーン上に存在する輝点の検出に際し、光検知手段４０により撮影レンズ１３で結像される光像内に存在する輝点を検知する構成としたが、光検知手段４０は、撮影レンズ１３で結像される光像内に存在する輝点の移動を検知する構成としてもよい。あるいは、光検知手段４０を本体ケーシング１１に設け、スクリーン上に存在する赤外線成分を直接検出することでスクリーン上の輝点を検知する構成としてもよいし、スクリーン上に存在する輝点の移動を検知する構成としてもよい。また、輝点を検出する範囲は、スクリーンの範囲に限らず、スクリーン上に投影される画像の範囲（投影範囲）で行ってもよい。
【００６５】
また、本実施形態においては、光源ランプ２７を制御することで暗画像動作を行う構成としたが、投影画像処理部２４を制御することで、投影画像を低輝度の画像又は黒色の画像とするなど、スクリーン上の表示画像を図４に示すような暗視野の画像に切替えてプロジェクタ１０としての画像表示を停止させることが可能な構成であればよい。また、この場合において、再度、光検知手段４０によるスクリーン上に存在する輝点を検知した旨の信号を制御部３４が受信した場合には、投影画像処理部２４による暗画像動作を解除して、再び、投影動作を行わせるように構成させればよい。また、この場合においては、光源ランプ２７にＬＥＤを用いる必要はなく、従来適用されてきた高圧水銀ランプなど何れのランプであってもよい。
【００６６】
また、本実施形態においては、レーザポインタから発せられる光の成分には、赤外線が含まれている例について説明を行ったが、当該光の成分には紫外線が含まれている構成であってもよい。この場合には、光検知手段は赤外線の代わりに紫外線を検知する構成とすればよい。
【００６７】
また、本実施形態においては、一例としてプロジェクタ１０について説明を行ったが、本発明は、このプロジェクタに前述の機能を実現させる為のプログラムや、このプロジェクタを用いてスクリーン上に画像を投影する画像投影方法も含まれる。
【図面の簡単な説明】
【００６８】
【図１】本発明に係る画像表示装置の概略構成を示す図である。
【図２】図１のプロジェクタの電子回路の機能構成を示す図である。
【図３】図１のプロジェクタのカラーホイールの平面構造を示す図である。
【図４】図１のプロジェクタの投影画像を表示した図である。
【図５】本発明に係る画像表示装置の動作の流れを示すフロー図である。
【符号の説明】
【００６９】
１０  プロジェクタ
１１  本体ケーシング
１２  投影レンズ
１３  撮影レンズ
１４  リモコン信号受信部
１５  スイッチ部
１６  スピーカ
２２  入出力Ｉ／Ｆ
２３  画像変換部
２４投影画像処理部
２５  ＳＯＭ
２６  リフレクタ
２７  光源ランプ
２８  カラーホイール
２９  インテグレータ
３０  ミラー
３１  モータ
３２  投影光処理部
３３  マーカセンサ
３４  制御部
３５プロセス回路
３６  画像記録部
４０  光検知手段
【図１】
2007264565.tif 000003
【図２】
2007264565.tif 000004
【図３】
2007264565.tif 000005
【図４】
2007264565.tif 000006
【図５】
2007264565.tif 000007